(57)【要約】【課題】  蓋をケースに締め付ける締付爪の締付性能を向上することができること。【解決手段】    蓋１４をケース１２に締め付ける締付爪４０は、蓋１４の内側に取付けられた軸支持筒２０に回動自在に支持された回動軸３０の先端にばね５０を介して取付けられており、このばね５０は、軸支持筒２０の端面２０Ｅと締付爪４０との間に配置された２つの皿ばね５０ＤＳから成り、これらの２つの皿ばね５０ＤＳは、凹面が相対するように組み合わせられている。【選択図】        図１
0003113276.tif 000002
【実用新案登録請求の範囲】
【請求項１】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動する蓋締付装置において、前記ばねは、前記軸支持筒の端面と前記締付爪との間に配置された皿ばねから成っていることを特徴とする蓋締付装置。
【請求項２】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動し、前記ケースと蓋との係合部分は、前記ケースの内鍔と前記蓋の内側とに相対して設けられて相互に噛み合う噛み合い部である蓋締付装置において、前記ばねは、前記軸支持筒の端面と前記締付爪との間に配置された皿ばねから成っていることを特徴とする蓋締付装置。
【請求項３】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動する蓋締付装置において、前記ばねは、前記軸支持筒の端面と前記締付爪との間に配置された２つの相対する皿ばねから成っていることを特徴とする蓋締付装置。
【請求項４】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動する蓋締付装置において、前記ばねは、前記軸支持筒の端面と前記締付爪との間に配置された２つの相対する皿ばねから成り、前記２つの皿ばねは、その凹面が対向するように配置されていることを特徴とする蓋締付装置。
【請求項５】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動し、前記ケースと蓋との係合部は、前記ケースの内鍔と前記蓋の内側とに相対して設けられて相互に噛み合う噛み合い部である蓋締付装置において、前記ばねは、前記軸支持筒の端面と前記締付爪との間に配置された２つの相対する皿ばねから成っていることを特徴とする蓋締付装置。
【請求項６】
ケースを開閉する蓋の内側に取付けられた軸支持筒と前記軸支持筒に回動自在に支持された回動軸と前記回動軸の先端にばねを介して取付けられた締付爪とから成り、前記締付爪は、前記回動軸によって前記ケースと蓋との係合部分から外れた開蓋位置と前記ケースと蓋との係合部分を前記ばねによって弾性的に押し付ける蓋締付位置との間を可動し、前記ケースと蓋との係合部は、前記ケースの内鍔と前記蓋の内側とに相対して設けられて相互に噛み合う噛み合い部である蓋締付装置において、前記ばねは、前記軸支持筒の端面と前記締付爪との間に配置された２つの相対する皿ばねから成り、前記２つの皿ばねは、その凹面が対向するように配置されていることを特徴とする蓋締付装置。
【考案の詳細な説明】
【技術分野】
【０００１】
本考案は、例えば、車両の床下等の狭隘な場所に設置される電気機器の如き各種の機器のケースの蓋を締め付ける装置に関し、特に、蓋の閉蓋位置で蓋とケースとの間を相互に締め付ける締付爪を回動軸に弾性的に保持するばねの改良に関するものである。
【背景技術】
【０００２】
爪締付形式の蓋締付装置は、一般に、図９に示すように、ケース１２を開閉する蓋１４の内側に取付けられた軸支持筒２０と、この軸支持筒２０に回動自在に支持された回動軸３０と、この回動軸３０の先端にばね５０を介して取付けられた締付爪４０とから成っている。
【０００３】
この蓋締付装置は、蓋１４をケース１２の開口縁に係合するように閉じた後、蓋１４に回動自在に取付けられた締付爪４０をケース１２の開口縁の裏側に係合するように回動してばね５０の弾性によって蓋とケースとの係合部分を相互に締め付けている。
【０００４】
ばね５０は、蓋１４とケース１２との係合部分を弾性的に締め付ける機能のほかに、締付爪４０が開蓋位置にあるときに、締付爪４０がその重力によって蓋締付位置側に倒れるのを防止して蓋の開閉に支障を生ずることがないように保持する機能を有する。
【０００５】
従来技術の蓋締付装置においては、ばね５０は、図９に示すように、コイルばね５０Ｃから成っているので、コイルばね５０Ｃの両端部が軸支持筒２０及び締付爪４０に回動軸３０の周方向に沿って部分的に係合することになり、従って締付爪４０が蓋１４とケース１２の係合部分を締め付ける力が弱くなって蓋１４の締付性能が低下し、またコイルばね５０Ｃの先端の縁で締付爪４０や軸支持筒２０のばね係合面(実際には座金)を傷つける欠点があった。
【考案の開示】
【考案が解決しようとする課題】
【０００６】
本考案が解決しようとする１つの課題は、締付爪の締付性能を向上することができる蓋締付装置を提供することにある。
【０００７】
本考案が解決しようとする他の課題は、軸支持筒や締付爪を傷つけることがない蓋締付装置を提供することにある。
【課題を解決するための手段】
【０００８】
本考案の第１の基本的な課題解決手段は、ケースを開閉する蓋の内側に取付けられた軸支持筒とこの軸支持筒に回動自在に支持された回動軸とこの回動軸の先端にばねを介して取付けられた締付爪とから成り、この締付爪は、回動軸によってケースと蓋との係合部分から外れた開蓋位置とケースと蓋との係合部分をばねによって弾性的に押し付ける蓋締付位置との間を可動する蓋締付装置において、ばねは、軸支持筒の端面と締付爪との間に配置された皿ばねから成っていることを特徴とする蓋締付装置を提供することにある。
【０００９】
本考案の第２の基本的な課題解決手段は、ケースを開閉する蓋の内側に取付けられた軸支持筒とこの軸支持筒に回動自在に支持された回動軸とこの回動軸の先端にばねを介して取付けられた締付爪とから成り、締付爪は、回動軸によってケースと蓋との係合部分から外れた開蓋位置とケースと蓋との係合部分をばねによって弾性的に押し付ける蓋締付位置との間を可動する蓋締付装置において、ばねは、軸支持筒の端面と締付爪との間に配置された２つの相対する皿ばねから成っていることを特徴とする蓋締付装置を提供することにある。
【００１０】
上記の第１と第２の課題解決手段において、ケースと蓋との係合部は、ケースの内鍔と蓋の内側とに相対して設けられて相互に噛み合う噛み合い部であるのが好ましい。
【００１１】
また、ばねは、軸支持筒の端面と締付爪との間に配置された２つの相対する皿ばねから成っているのが好ましく、この場合、２つの皿ばねは、その凹面が対向するように配置されているのがよい。
【考案の効果】
【００１２】
本考案によれば、蓋締付装置の締付爪をケースと蓋との係合部分に弾性的に係合するばねが軸支持筒の端面と締付爪との間に配置された皿ばねから成っているので、ばね力は、回動軸の周方向の全周に沿って軸支持筒と締付爪とに作用するので、締付爪が蓋とケースとの係合部分に大きな力で締め付けることができ、従って締付爪の締付性能を向上することができる。
【００１３】
特に、ばねが相対する２つの皿ばねから成っていると、ばねの変位（ストローク）が大きくなって締付爪の締付け及び解放を一層高い操作性で行うことができ、また皿ばねは、軸支持筒や締付爪にエッジ接触ではなく、面接触するので、これらの部品を傷つけることがない。
【考案を実施するための最良の形態】
【００１４】
本考案の実施の形態を図面を参照して詳細に述べると、図１及び図２は、本考案に係わる蓋締付装置１０を示し、図１乃至図３は、その蓋締付状態、図４は、開蓋可能な状態を示す。
【００１５】
蓋締付装置１０は、ケース１２とこのケース１２に図示しないヒンジで開閉自在に取付けられた蓋１４との間で蓋１４の自由端側に設けられている。図１では、ケース１２の側壁１２Wの一部とこの側壁１２Wの開口１２Oに設けられた内鍔１２Fとが示されており、また蓋１４は、このケース１２の内鍔１２Fの枢支端側に図示しないヒンジによって支持されている。
【００１６】
図示の形態では、蓋１４がケース１２の開口１２Oを閉じると、蓋１４の内面に設けられたシール部材１４Sがケース１２の内鍔１２Fに設けられたシール部材１２Sに噛み合って気密を保って閉じられる。図示の例では、シール部材１２S、１４Sは、ケース１２の内鍔１２Fの内縁及び蓋１４の外縁の折曲外周壁部分とこの折曲外周壁部分に相対して溶接等によってケース１２の内鍔１２Fの外面及び蓋１４の内面にそれぞれ設けられた内周壁部分との間に充填されたパッキング１２P、１４Pから成り、これらのパッキング１２P、１４Pは、相互に噛み合うように相対するV字溝１２PV、１４PVを有する。従って、蓋１４がケース１２の開口１２Oを閉じると、シール部材１２S、１４Sのパッキング１２P、１４PがV字溝１２PV、１４PVで相互に噛み合うように係合して蓋１４をケース１２に気密に閉じることができる。
【００１７】
蓋締付装置１０は、蓋１２の内側に取付けられた軸支持筒２０と、この軸支持筒２０に回動自在に支持された回動軸３０と、この回動軸３０の先端にばね５０を介して取付けられた締付爪４０とから成っている。
【００１８】
図示の形態では、軸支持筒２０は、図５に示すように、蓋１４の表面側に係合する鍔２０Ｆを有し、軸支持筒２０は、蓋１４の取付孔を貫通して蓋１４の内側に延びており、鍔２０Ｆの頭部係止孔２０Ｈに係入する頭部(図示せず)を有するねじ杆２２Ｔに座金２２Ｗを介してナット２２Ｎを締め付けて蓋１４に取付けられている。図示の例では、表示板２４が鍔２０Ｆの上に設けられており、この表示板２４は、ねじ２４Ｔによって鍔２０Ｆに固定されている。この表示板２４は、図２に示すように、後に述べる回動軸３０の「回動方向」の表示２４ｄと回動軸３０の「位置表示」２４ｐとを含む表示２４Ｉが施されている。なお、図１及び図５において符号２６は、９０度間隔で軸支持筒２０の筒本体に設けられた２つのストッパーであり、これらのすトッパー２６は、後に述べる締付爪４０の回動範囲を規制する働きを有する。
【００１９】
回動軸３０は、図１及び図６に示すように、蓋１４の表側に突出する多角(図示の例では六角)頭部３０ＨＤと蓋１４の表面（図示の例では表示板２２の表面）に係合する鍔３０Ｆとを有し、軸支持筒２０を貫通して軸支持筒３０の先端(内端)から突出する部分を有し、この突出部分には順に角型軸部分３０Ａ（図６参照）とねじ部３０Ｔとを有する。
【００２０】
図示の形態では、頭部３０ＨＤに径方向に貫通する貫通孔３０Ｈを有し、図示しない操作治具の軸部をこの貫通孔３０Ｈに貫通して回動軸３０を手で回すように操作することができる。また、鍔３０Ｆは、その一部に指針片３０Ｎが取付けられており、この指針片３０Ｎは、軸指示筒２０の鍔２０Ｆ上の表示板２２の位置を指示するのに用いられるが、その詳細は、後に動作説明と共に述べる。
【００２１】
締付爪４０は、図７に示すように、回動軸３０の角型軸部分３０Ａに嵌合する角孔４０Ｈを基部に有し、この基部を回動軸３０の肩部３０Ｓに係合してねじ部３０Ｔに座金３２Ｗを介してナット３２Ｎを締め付けて回動軸３０に固定されている。また、爪本体４０Ｂの両側にはこの爪本体４０Ｂがケース１２の内鍔１２Ｆの内面に設けられた座部１２Ｄに容易に乗り上がることができるように案内するカム部分４０Ｃを両側に有する。爪本体４０Ｂ、カム部分４０Ｃ及び角孔４０Ｈは、一枚の金属板を打ち抜きプレスして形成される。カム部分４０Ｃは、爪本体４０Ｂの両側部分を締付面（図５（Ｂ）の左側の平面及び図１の座部１２Ｄの係合面）から座部１２Ｄより離れる側に凹ませるように変形して形成される。締付爪４０が回動軸３０の角型軸部分３０Ａに嵌合して取付けられていると、締付爪４０は、回動軸の軸方向に前後に振れたり軸線の周りを左右に振れたりすることがない。また、ナット３２Ｎの締め付けは、後に述べるばね５０が締付爪４０に作用することができる程度に設定される。
【００２２】
ばね５０は、軸支持筒２０の端面２０Ｅと締付爪４０の基部との間に配置された皿ばね５０ＤＳから成っており、ばね５０の両側と軸支持筒２０の端面及び締付爪４０の基部との間には座金５２Ｗ、５４Ｗがそれぞれ設けられている。図示の形態では、ばね５０は、相対する２つの皿ばね５０ＤＳから成っており、これらの２つの皿ばね５０ＤＳは、その凹面が対向するように配置されている。
【００２３】
本考案の蓋締付装置１０の操作を図１乃至図４を参照して述べると、図１及び図３は、蓋１４がケース１２の開口１２Ｏを閉じ、締付爪４０がケース１２の内鍔１２Ｆの内面に係合して蓋１４をケース１２の内鍔１２Ｆに締め付けている状態を示している。この状態では、回動軸２０の指針片３０Ｎは、表示板２４の表示２４Ｉの「閉」という位置２４Ｐを指しているので、蓋締付装置１０が閉位置で締付(ロック)していることが解る。
【００２４】
この位置から回動軸３０の貫通孔３０Ｈに図示しない操作治具を貫通して回動軸３０を図２の位置から反時計方向に９０度回動すると、締付爪４０がケース１２の内鍔１２Ｆから外れて(図４参照)蓋１４の締付け（ロック）が解除されるので、蓋１４を開くことができる。蓋１４の締付け(ロック)が解除された後、操作治具を回動軸３０の頭部３０ＨＤから抜き取る。この状態では、回動軸３０の指針片３０Ｎが表示板２４の表示２４Ｉの「開」という位置２４Ｐを指す。
【００２５】
開蓋状態から蓋１４を閉じると、図１に示すように、ケース１２のシール部材１２Ｓと蓋１４のシール部材１４Ｓとが噛み合って相互に係合し、その後、図示しない操作治具を再び回動軸３０の頭部３０ＨＤに貫通して回動軸３０を図２の時計方向に９０度回動して締付爪４０を図１及び図３の位置にする。この際、締付爪４０は、ナット３２Ｎによって皿ばね５０ＤＳを圧縮しているので、締付爪４０の爪本体４０Ｂは、ケース１２の内鍔１２Ｆの座部１２Ｄよりも外側にあるが、爪本体４０Ｂのカム４０Ｃによって皿ばね５０ＤＳの圧縮力を解放する方向に変位しながら座部１２Ｄに乗り上げて締付爪４０がケース１２の内鍔１２Ｆと蓋１４の自由端とを相互に接近する方向にばね付勢される。
【００２６】
皿ばね５０ＤＳは、その全周縁が回動軸３０の周りで軸支持筒２０の端面（座金５２Ｗ）及び締付爪４０の基部(座金５４Ｗ)に係合しているので、ばね５０が締付爪４０に接触する面積が大きくなり、締付爪４０に大きなばね力が付与されて蓋１４とケース１２の内鍔１２Ｆとの締付力が向上することが解る。
【００２７】
特に、２つのばね５０ＤＳの凹面が向き合うように相対して組み合わせて軸支持筒３０と締付爪４０との間に配置すると、ばねの変位（ストローク）が大きくなって締付爪の締付け及び解放を一層高い操作性で行うことができる上に、軸支持筒３０や締付爪４０に面接触するので、軸支持筒３０や締付爪４０にエッジ接触することがなく、これらの部品を傷つけることがない。
【００２８】
なお、締付爪４０は、開蓋位置でその肩部４０Ｓが一方のストッパー２６に係合し、蓋締付け位置で他方のストッパー２６に係合する。
【００２９】
上記実施の形態では、ケース１２と蓋１４のシール部材１２Ｓ、１４Ｓは噛み合い型であったが、面接触型であってもよく、また回動軸３０の頭部３０ＨＤにノブを取付けて回動軸３０を手で直接回動するようにしてもよい。また、図示の形態では、締付爪４０の両側にカム部分４０Ｃを有するが、図７（Ａ）の右側のカム部分４０Ｃは実際には不要であり、省略してもよい。
【００３０】
更に、図１の軸支持筒２０と回動軸３０との間の相対的に移動する接触面にグリス等の流動性を有するシール剤３０Ｇが塗布されているのが示されているが、回動軸３０の鍔３０Ｆと表示板２４との間の如き他の相対移動する接触面にも図示しないグリス等の流動性を有するシール剤が塗布されているのが好ましい。また、本考案は、上記の実施の形態に限定されることなく、種々の変形を施すことができる。
【産業上の利用可能性】
【００３１】
本考案の蓋締付装置は、蓋締付装置の締付爪をケースと蓋との係合部分に弾性的に係合するばねが回動軸の周方向の全周に沿って軸支持筒と締付爪とに作用する皿ばねから成っているので、締付爪の締付性能を向上することができる上に、ばねの変位が大きくなって締付爪の締付け及び解放を一層高い操作性で行うことができ、産業上の利用性が向上する。
【図面の簡単な説明】
【００３２】
【図１】本考案の１つの形態による蓋締付装置の部分断面にした側面図である。
【図２】図１の蓋締付装置の正面図である。
【図３】本考案に用いられる締付爪の蓋締付位置を示す概略背面図である。
【図４】本考案に用いられる締付爪の開蓋位置を示す背面図である。
【図５】本考案に用いられる軸支持筒を示し、同図（Ａ）は、その正面図、同図（Ｂ）は、その側面図である。
【図６】本考案に用いられる回動軸を示し、同図（Ａ）は、その側面図、同図（Ｂ）は、その正面図である。
【図７】本考案に用いられる締付爪を示し、同図（Ａ）は、その正面図、同図（Ｂ）は、その側面図、同図（Ｃ）は、その上面図である。
【図８】従来技術の蓋締付装置の側面図である。
【符号の説明】
【００３３】
１０  蓋締付装置
１２  ケース
１２Ｄ  座部
１２Ｆ  内鍔
１２Ｏ  開口
１２Ｐ  パッキング
１２ＰＶ  Ｖ字溝
１２Ｓ  シール部材
１２Ｗ  側壁
１４  蓋
１４Ｐ  パッキング
１４ＰＶ  Ｖ字溝
１４Ｓ  シール部材
２０  軸支持筒
２０Ｅ  端面
２０Ｆ  鍔
２０Ｈ  頭部係止孔
２２Ｔ  ねじ杆
２２Ｗ  座金
２２Ｎ  ナット
２４  表示板
２４Ｔ  ねじ
２４ｄ  回動方向の表示
２４ｐ  位置の表示
２４Ｉ  表示
２６  ストッパー
３０  回動軸
３０ＨＤ  多角頭部
３０Ｆ  鍔
３０Ａ  角型軸部分
３０Ｔ  ねじ部
３０Ｈ  貫通孔
３０Ｎ  指針片
３０Ｓ  肩部
３０Ｇ  シール剤
３２Ｗ  座金
３２Ｎ  ナット
４０  締付爪
４０Ｂ  爪本体
４０Ｈ  角孔
４０Ｃ  カム部分
５０  ばね
５０ＤＳ  皿ばね
【図１】
0003113276.tif 000003
【図２】
0003113276.tif 000004
【図３】
0003113276.tif 000005
【図４】
0003113276.tif 000006
【図５】
0003113276.tif 000007
【図６】
0003113276.tif 000008
【図７】
0003113276.tif 000009
【図８】
0003113276.tif 000010